(57)【要約】【課題】設置およびメンテナンスが容易で、建物の中に住む人に閉じ込められたような圧迫感や違和感を感じさせない、ベランダ等に設置する防鳥装置を提供する。【解決手段】建物のベランダ等の開口部において、第１のワイヤが、該開口部の上口部の縁に沿って、該上口部の下に張られ、第２のワイヤが、該開口部の下口部の縁に沿って、該下口部の上に張られ、該第１のワイヤは該第２のワイヤの上方に位置し、該第１のワイヤと該第２のワイヤそれぞれは、少なくとも一方の端部が、固定ユニットを介して該建物の壁等に固定され、該第１のワイヤと該第２のワイヤそれぞれには、複数の細糸案内が取付けられ、細糸が、該細糸案内の各々を通って折り返し、該第１のワイヤと該第２のワイヤの間をジグザグ形状に往復しながら、該ワイヤの長手方向に亘って張られ、該固定ユニットにより、該第１のワイヤおよび該第２のワイヤの張力調整がなされる。【選択図】図１
2010162005.tif 000002
【特許請求の範囲】
【請求項１】
鳥類が侵入する建物外壁の開口部に取り付けられる防鳥装置であって、
第１のワイヤが、前記開口部の上口部の縁に沿って、該上口部の下に張られ、
第２のワイヤが、前記開口部の下口部の縁に沿って、該下口部の上に張られ、
前記第１のワイヤは前記第２のワイヤの上方に位置し、
前記第１のワイヤと前記第２のワイヤとは、それぞれ少なくとも一方の端部が、固定ユニットを介して前記建物外壁の開口部側に固定され、
前記第１のワイヤと前記第２のワイヤとには、それぞれ複数の細糸案内具が、該ワイヤ長手方向に所定の間隔に取付けられ、
前記複数の細糸案内具の各々を抜き取り可能に通ってＶ字を描いて折り返して、前記第１のワイヤと前記第２のワイヤの間をジグザグ形状に往復しながら、前記第１のワイヤと前記第２のワイヤとのワイヤ長手方向に亘って細糸が張られていることを特徴とする防鳥装置。
【請求項２】
前記固定ユニットは、箱状体とオールアンカーと中空ボルトと２重ナットとから構成され、
前記箱状体は前記オールアンカーにより前記建物外壁に固定され、該オールアンカーに対向する該箱状体の面にはボルト孔があり、
前記中空ボルトは前記箱状体の外側から前記ボルト孔に挿入されて、該箱状体の内側に配置された前記２重ナットに捩じ込まれ、
前記第１のワイヤと前記第２のワイヤとは、それぞれの前記端部が前記中空ボルトの中空孔を貫通し、該端部の貫き出た部分が、かしめパイプでかしめられ、
前記中空ボルトの前記２重ナットへの捻じ込み度合により、前記第１のワイヤおよび前記第２のワイヤの張力調整がなされることを特徴とする請求項１記載の防鳥装置。
【発明の詳細な説明】
【技術分野】
【０００１】
本発明は、建物のベランダ等の開口部へ、鳩などの鳥類が飛来し侵入するのを防止する装置に関する。
【背景技術】
【０００２】
従来、建物のベランダ等の開口部における鳥害を防止する手段としては、（ａ）目玉マークなどの視覚的な威嚇手段、（ｂ）鳥類の忌避する振動を伝える手段、（ｃ）ネットを張って侵入を防ぐ手段、などの策が知られている。
【０００３】
（ｂ）の例としては、複数の板材と、バネ剛性を有する線材と、これに繋いだ振動装置を有し、広範囲に、強制的かつ持続的に、変更可能な音を発する鳩避け装置が知られている（特許文献１）。
【０００４】
しかし、（ａ）や（ｂ）のような威嚇による方法では、設置当初は効力が見られるものの、時間の経過とともに、慣れによって、実効性が失われる問題がある。
【０００５】
（ｃ）の例としては、特許文献２の鳥害防止用ネットが挙げられる。この鳥害防止用ネットの設置には、ネットを保持するための接着部材を数多く建物のベランダの天井部などに取付ける必要があり、その一つ一つの接着作業をする必要がある。数多くの該接着部材それぞれに紐条を通し、その紐条でネットと吊り上げる作業を経てネットが設置される。
【０００６】
この鳥害防止用ネットは、設置の手間、および、ネット張替え等のメンテナンスの手間がかかる欠点がある。また、ネットを使用することで、建物の中に住む人に閉じ込められたような圧迫感や違和感を覚えさせる。
【０００７】
（ｃ）のもう一つの例としては、特許文献３の防鳥ネットが挙げられる。この防鳥ネットは、マンションのバルコニーの上下に取付けられたレールの間に開閉自在に展張されたカーテン式ネットであって、マグネット付きライナーにより着脱自在であることを特徴とする。
【０００８】
この防鳥ネットは、マグネットの使用で着脱自在になっていることから、メンテナンスの手間は軽減されているが、やはり、ネットを使用することで、建物の中に住む人に閉じ込められたような圧迫感や違和感を覚えさせる。
【０００９】
その他の例として、特許文献４の鳥類侵入防止装置が挙げられる。この鳥類侵入防止装置は、建物等の開口部上部に沿って水平方向に取付けられた長手状の第１のベース部材と、該第１のベース部材から垂直方向に適宜間隔で吊り下げられる複数の線材と、この複数の線材に取付けられ、重りを兼用した水平方向に長手状の第２のベース部材と、この第２のベース部材から複数の線材の一部または全部を着脱する線材着脱気孔とからなる。
【００１０】
この鳥類侵入防止装置は、ネットは使用していないものの、多数の線材を使用しているため、設置の手間、および、張替え等のメンテナンスの手間がかかる欠点がある。また、建物の中に住む人に閉じ込められたような圧迫感や違和感を覚えさせる点でもネットと同様である。
【先行技術文献】
【特許文献】
【００１１】
【特許文献１】特開２００７−２８９１３４号公報
【特許文献２】特開２００１−４５９５６号公報
【特許文献３】実登３０３８５８０号公報
【特許文献４】実開平７−３６６７９号公報
【発明の概要】
【発明が解決しようとする課題】
【００１２】
本発明は、以上のような問題に対処するためになされたものである。設置およびメンテナンスが容易で、建物の中に住む人に閉じ込められたような圧迫感や違和感を感じさせない、ベランダ等に設置する防鳥装置の提供を目的とする。
【課題を解決するための手段】
【００１３】
本発明の防鳥装置は、鳥類が侵入する建物外壁の開口部に取り付けられる防鳥装置であって、第１のワイヤが、上記開口部の上口部の縁に沿って、該上口部の下に張られ、第２のワイヤが、上記開口部の下口部の縁に沿って、該下口部の上に張られ、上記第１のワイヤは上記第２のワイヤの上方に位置し、上記第１のワイヤと上記第２のワイヤとは、それぞれ少なくとも一方の端部が、固定ユニットを介して上記建物外壁の開口部側に固定され、上記第１のワイヤと上記第２のワイヤとには、それぞれ複数の細糸案内具が、該ワイヤ長手方向に所定の間隔に取付けられ、上記複数の細糸案内具の各々を抜き取り可能に通ってＶ字を描いて折り返して、上記第１のワイヤと上記第２のワイヤの間をジグザグ形状に往復しながら、上記第１のワイヤと上記第２のワイヤとのワイヤ長手方向に亘って細糸が張られていることを特徴とする。
【００１４】
また、上記固定ユニットは、箱状体とオールアンカーと中空ボルトと２重ナットとから構成され、上記箱状体は上記オールアンカーにより鳥類が侵入する建物外壁に固定され、該オールアンカーに対向する該箱状体の面にはボルト孔があり、上記中空ボルトは上記箱状体の外側から上記ボルト孔に挿入されて、該箱状体の内側に配置された上記２重ナットに捩じ込まれ、上記第１のワイヤと上記第２のワイヤとは、それぞれの上記端部が上記中空ボルトの中空孔を貫通し、該端部の貫き出た部分が、かしめパイプでかしめられ、上記中空ボルトの２重ナットへの捻じ込み度合により、上記第１のワイヤおよび上記第２のワイヤの張力調整がなされることを特徴とする。
【発明の効果】
【００１５】
本発明の防鳥装置は、建物のベランダ等の開口部に設置する装置であり、２本のワイヤと１本の細糸を張る容易な作業で設置することができる。固定ユニットの使用により、ネジ締め作業だけでワイヤの張力調整ができる。細糸は、抜き取り可能に細糸案内具を通っているため、古くなった細糸の抜き取りが容易である。したがって、古くなった細糸の一端に新しい細糸を結わえて抜き取れば、古い細糸の抜き取りと同時に新しい細糸を張ることができ、非常に効率的な張替えができる。また、細糸案内具の数および設置間隔を変えることにより、好みに応じた細糸張りが可能である。防鳥ネットと比較して、遥かに目立たない細糸を使用するため、建物の中に住む人に閉じ込められたような圧迫感や違和感を感じさせない。鳩などの鳥類がベランダ等に留まったり、侵入したりするのを防止するのに、２本のワイヤ、および、細糸の全てが貢献するため、本発明の防鳥装置は優れた防鳥性能を発揮する。
【図面の簡単な説明】
【００１６】
【図１】ベランダにおける防鳥装置の設置状況図
【図２】細糸の状況図
【図３】固定ユニットの側面図
【図４】ベランダの断面図
【図５】細糸案内具の図
【発明を実施するための形態】
【００１７】
本発明の防鳥装置の実施形態の一つを、図１、図２、図３、図４、および図５を用いて説明する。図１は本発明の防鳥装置がマンションのベランダに設置された状況を表す図である。図２は第１のワイヤ１と第２のワイヤ２に取付けられた複数の細糸案内具３、および、該細糸案内具の各々において、Ｖ字を描いて折り返し、該２つのワイヤ間にジグザグ形状に張られた細糸４を表す図である。図３はワイヤの端部をマンションの壁に対して固定するための固定ユニット５の側面図である。図４はベランダの断面図である。図５は細糸案内具の図であり、図５（ａ）は正面図を、図５（ｂ）は側面図をそれぞれ表す。
【００１８】
図１は、手摺りを有するマンションのベランダに設置された本発明の防鳥装置を、該マンションの中から見た状況を表している。該ベランダは、床の平面形状が長方形であって、該長方形の長手方向が間口方向であるベランダの例である。図１の図面上の横方向は、間口方向（長手方向）である。
【００１９】
第１のワイヤ１は、ベランダの上口部６の縁に沿って、該上口部６の下に張られ、第２のワイヤ２は、ベランダの手摺りなどの下口部７の縁に沿って、該下口部７の上に張られている。（図１および図４を参照。）
第１のワイヤ１は、第２のワイヤ２の上方に平行に並んで位置し、これらのワイヤはベランダの間口方向に亘って張られている。第１のワイヤ１と該上口部６との距離、または第２のワイヤ２と該下口部７との距離は、鳥類の種類により調整できる。例えば、鳩の侵入防止のためには、第１のワイヤ１と該上口部６との距離は、１００ｍｍ以下が好ましく、第２のワイヤ２と該下口部７との距離も１００ｍｍ以下が好ましい。
【００２０】
第１のワイヤ１と第２のワイヤ２それぞれは、少なくとも一方の端部が、固定ユニット５を介して、マンションの壁に固定されている。固定ユニット５を使用しない端部の固定方法は、特に限定しないが、一般的な固定金具を使用することができる。図１では、第１のワイヤ１および第２のワイヤ２の左端部が、固定ユニット５を介して、マンションの壁に固定されている状態であり、該ワイヤの右端部となる他方の端部は省略されている。
【００２１】
第１のワイヤ１と第２のワイヤ２は、細糸４をＶ字を描いて折り返してジグザグ形状に張ることができる機械的強度を有する材料、太さであれば使用できる。例えばステンレスワイヤなどが挙げられる。ベランダで使用されても錆びないステンレスワイヤが好ましく、その直径は１．５〜２．０ｍｍである。また、第１のワイヤ１と第２のワイヤ２の長さは、上記の固定ユニット５を使用した固定方法で、ベランダの間口方向に弛み無く張りわたせる長さである。
【００２２】
第１のワイヤ１と第２のワイヤ２のそれぞれには、長手方向に亘って所定の間隔に複数の細糸案内具３が取付けられている。鳥類の習性により、ベランダの中心部から飛来することが多い場合には中心部を密に縁部を疎に、ベランダの縁部から飛来することが多い場合は、上記とは逆の間隔となるように細糸案内具３の間隔を調整できる。
好ましくは等間隔に複数の細糸案内具３を取付ける。この間隔は、第１のワイヤ１と第２のワイヤ２で共通であり、１５０ｍｍ〜２５０ｍｍであることが好ましい。第１のワイヤ１に取付けられた細糸案内具３の列と、第２のワイヤ２に取付けられた細糸案内具３の列との相対位置関係は、図１および図２に図示されている。図１および図２では、１本の細糸４が、第１のワイヤ１および第２のワイヤ２に取付けた該細糸案内具３を通っており、該細糸４が該細糸案内具３の各々においてＶ字を描いて折り返し、第１のワイヤ１と第２のワイヤ２の間をジグザグ形状に往復して張られている。図１では図の右側が途切れて省略されているが、該細糸４は、第１のワイヤ１と第２のワイヤ２の間をジグザグ形状に往復して、該ワイヤの長手方向に亘って張られている。
該細糸４の両端の固定方法は特に限定しないが、例えば図１のように、末端に位置する細糸案内具３の１つに、結びつけて固定することができる。細糸４の張力を得るために、固定金具、たるみ防止バネ等の器具を使用して固定してもよい。
【００２３】
細糸４の直径は、０．３ｍｍ〜０．３７ｍｍが好ましい。細糸４の材質は、ナイロン、テトロン、フロロカーボン等が好ましく、特にナイロンが好ましい。
【００２４】
図２に示すように、第１のワイヤ１と第２のワイヤ２それぞれには、該ワイヤが貫通する状態で、複数のパイプ８が、前述の細糸案内具３の間隔が実現されるように配置される。細糸案内具３は、支持部３ｂをこのパイプ８に嵌めこんで取付けられる。細糸４は、細糸案内具３の輪部３ａに、抜き取り可能に通される。パイプ８の内径は、例えばワイヤ１または２の直径が１．５〜２．０ｍｍの場合、このワイヤが挿通できる大きさであり、約２ｍｍである。その場合の外径は約４ｍｍである。細糸案内具３の図５におけるｄは１７ｍｍであり、ｌは９．５ｍｍであり、ｗは１．６ｍｍである。
【００２５】
図３は固定ユニット５の側面図である。図１に描かれた第１のワイヤを固定する固定ユニット５の拡大図となっている。第２のワイヤを固定する固定ユニットも同様である。該固定ユニット５は、箱状体９、オールアンカー１０、中空ボルト１１、２重ナット１２から構成される。
【００２６】
箱状体９は、鳥類が侵入する建物外壁に固定できると共にワイヤを固定できるものであれば使用できる。例えば、図３に示すようなステンレス製の角パイプを切り出した両面に開放端を有する四角筒が使用できる。図３では、角パイプの切り口を正面としている。この箱状体の大きさは、四角筒の内部にオールアンカー１０および２重ナット１２を収容できる大きさであれば使用できる。例えば、縦×横×幅が４６×４６×２０ｍｍであり、肉厚は２ｍｍのステンレス製角パイプの切り出し部品を使用できる。なお、上記縦と横は図３における縦と横を意味し、幅は図３における奥行きを表す。この箱状体９の切り口以外の４つの面のうち、１つの面（以後、第１の面と称す）の中央には、オールアンカー１０を挿入し固定できるサイズの孔がある。第１の面に対向する面（以後、第２の面と称す）の中央には、中空ボルト１１を挿入し固定できるサイズの孔（以後、ボルト孔と称す）がある。
【００２７】
オールアンカー１０はステンレス製で、芯棒打ち込み式であり、例えば、ねじの呼びはＭ６で、全長は４５ｍｍのものを使用できる。
【００２８】
中空ボルト１１はステンレス製が好ましく、例えば、ねじの呼びはＭ８で、全長は２５ｍｍである。この中空ボルト１１は、軸方向に貫通する中空孔を有し、中空孔の直径は２．３ｍｍである。
【００２９】
以下、固定ユニット５の組み立て・設置方法を記す。まず、オールアンカー１０を、箱状体９の内側から第１の面にある上記の孔へ挿入し、建物のベランダの内壁１３に打ち込む。これにより、箱状体が建物に対して固定される。つぎに、中空ボルト１１を、箱状体９の外側から、第２の面にある上記ボルト孔に挿入し、箱状体９の内側に配置された２重ナット１２に捩じ込む。そして、上記ワイヤの上記端部を、箱状体の外側から中空孔に差し込み、中空ボルト１１を貫通させる。該端部の貫き出た部分に、かしめパイプ１４を通して、かしめることにより、該ワイヤが該中空ボルト１１から貫け落ちないようにする。
【００３０】
こうして、第１のワイヤ１および第２のワイヤ２の該端部は、この固定ユニット５を介して、マンションの壁に固定される。
【００３１】
上記のように、第１のワイヤ１と第２のワイヤ２のそれぞれは、少なくとも一方の端部が固定ユニット５を使って固定され、それ以外の端部は、一般的な固定金具等、その他の方法で固定され、ベランダの間口方向にわたって張られる。第１のワイヤ１と第２のワイヤ２のそれぞれにおいて、固定ユニット５の中空ボルト１１の２重ナット１２への捻じ込みを深くするほど、該ワイヤの張力が増す。これにより、該ワイヤの張力調整が可能となる。
【００３２】
本発明の防鳥装置における、細糸４の張替え方法を説明する。本発明の防鳥装置においては、上記のように、１本の細糸４が、第１のワイヤ１および第２のワイヤ２に取付けられた細糸案内具３の各々を通っている。この細糸４は細糸案内具３の各々においてＶ字を描いて折り返し、第１のワイヤ１と第２のワイヤ２の間をジグザグ形状に往復して、該ワイヤの長手方向に亘って張られている。そして、この細糸４の端部のそれぞれは、末端に位置する細糸案内具の１つに結びつけられるなどして固定されている。
【００３３】
この細糸４を張替えるには、まず、この細糸４の両端部の固定状態を解く。この細糸４は、細糸案内具３の各々を抜き取り可能に通っているので、この状態で、この細糸４の１つの端部（以後、第１の端部と称す）を引っ張れば、この細糸４は細糸案内具３の各々を抜け、防鳥装置から離脱する。したがって、あらかじめ、この細糸４の第１の端部とは反対の、もう一つの端部に、新しい細糸を結わえておいてから、この第１の端部を引っ張る作業をすれば、この細糸４が防鳥装置を離脱すると同時に、結わえた新しい細糸が所望の状態で、第１のワイヤ１と第２のワイヤ２の間を張りわたることとなる。あとは、新しい細糸の両端の固定作業をして、張替えが完了する。
【００３４】
本発明の防鳥装置においては、第１のワイヤ１、第２のワイヤ２および細糸４が鳩等の飛来防止効果をもつ。このうち、細糸４は見えにくいため、飛来する鳩等の体に当たりやすく、鳩等は特に羽などの体が傷付くのを極端に嫌う習性を持つため、これを忌み嫌って、遠ざかることとなる。
【産業上の利用可能性】
【００３５】
本発明の防鳥装置は、マンション等の建物の個別の状態に合わせて、該防鳥装置の構成部材の配置や大きさ等を適宜選択することにより、適切かつ容易に設置することが可能なため、広く利用されることが期待される。
【符号の説明】
【００３６】
１  第１のワイヤ
２  第２のワイヤ
３  細糸案内具
３ａ  輪部
３ｂ  支持部
４  細糸
５  固定ユニット
６  上口部
７  下口部（手摺り）
８  パイプ
９  箱状体
１０  オールアンカー
１１  中空ボルト
１２  ２重ナット
１３  建物の壁
１４  かしめパイプ
【図１】
2010162005.tif 000003
【図２】
2010162005.tif 000004
【図３】
2010162005.tif 000005
【図４】
2010162005.tif 000006
【図５】
2010162005.tif 000007